(57)【要約】      （修正有）【課題】放送番組内で告知される情報を容易に把握できると共に、放送番組の視聴率アップに寄与する。【解決手段】コンテンツの出力処理が開始されたか否かを判定する出力処理開始判定部（制御部３２）と、出力処理開始判定部（制御部３２）にて、出力処理が開始されたと判定されたコンテンツに関する特定の告知情報の有無を確認する告知情報有無確認部（制御部３２）と、告知情報有無確認部（制御部３２）にて告知情報があると判定したときに、コンテンツに関連する特定の告知情報がある旨を出力する告知情報出力部（制御部３２、映像音声出力部３６）と、を備える放送受信装置３０とする。【選択図】図３
2010206303.tif 000002
【特許請求の範囲】
【請求項１】
コンテンツの出力処理が開始されたか否かを判定する出力処理開始判定部と、
上記出力処理開始判定部にて、出力処理が開始されたと判定された上記コンテンツに関する特定の告知情報の有無を確認する告知情報有無確認部と、
上記告知情報有無確認部にて上記告知情報があると判定したときに、上記告知情報がある旨および／または上記告知情報に関連する情報を出力する告知情報出力部と、
を備えたことを特徴とする情報受信装置。
【請求項２】
請求項１に記載の情報受信装置において、
前記コンテンツは、放送局から送出される放送波に重畳された放送番組であり、
前記コンテンツに関する特定の前記告知情報は、上記放送番組内で告知される懸賞に関する情報であり、
上記懸賞に関する情報は、上記放送局から送出される放送波、もしくは上記放送波以外の他の通信手段を介して前記情報受信装置へ送信されてくることを特徴とする情報受信装置。
【請求項３】
請求項１または２に記載の情報受信装置において、
前記コンテンツに関する特定の告知情報の出力有無情報を記憶する記憶部を備え、
前記告知情報出力部は、上記記憶部を参照して前記コンテンツに関する特定の告知情報が所定の期間出力されていないときは、前記コンテンツに関する特定の告知情報がある旨を出力することを特徴とする情報受信装置。
【請求項４】
請求項１から請求項３に記載の情報受信装置において、
前記コンテンツを切り替える操作入力部を備え、
前記出力処理開始判定部は、
前記コンテンツが上記操作入力部により切り替えられたときは、切り替えられたコンテンツの出力処理が開始されたと判定し、
前記告知情報有無確認部は、
切り替えられた上記コンテンツに関する特定の告知情報の有無を確認し、
前記告知情報出力部は、
前記告知情報有無確認部にて切り替えられた上記コンテンツに上記告知情報があると判定したときに、切り替えられた上記コンテンツで告知される特定の告知情報がある旨および／または上記告知情報に関連する情報を出力することを特徴とする情報受信装置。
【請求項５】
請求項１から請求項４のいずれか１項に記載の情報受信装置において、
前記出力処理開始判定部は、
視聴予約が予めなされている前記コンテンツに対して出力処理が開始されたか否かを判定し、
前記告知情報有無確認部は、
前記出力処理開始判定部により出力処理が開始されたと判定された前記コンテンツに関する特定の前記告知情報の有無を確認し、
前記告知情報出力部は、
前記告知情報有無確認部にて特定の前記告知情報があると判定したときに、特定の前記告知情報がある旨および／または前記告知情報に関連する情報を出力することを特徴とする情報受信装置。
【請求項６】
コンテンツの出力処理が開始されたか否かを判定する出力処理開始判定ステップと、
上記出力処理開始判定ステップにて、出力処理が開始されたと判定された上記コンテンツに関する特定の告知情報の有無を確認する告知情報有無確認ステップと、
上記告知情報有無確認ステップにて上記告知情報があると判定したときに、上記告知情報がある旨および／または上記告知情報に関連する情報を出力する告知情報出力ステップと、
を有することを特徴とする情報受信方法。
【請求項７】
コンピュータを、コンテンツの出力処理が開始されたか否かを判定する出力処理開始判定手段と、上記出力処理開始判定手段にて、出力処理が開始されたと判定されたコンテンツに関する特定の告知情報の有無を確認する告知情報有無確認手段と、上記告知情報有無確認手段にて告知情報があると判定したときに、告知情報がある旨および／または告知情報に関連する情報を出力する告知情報出力手段と、として機能させるための情報受信プログラム。
【請求項８】
請求項１から５のいずれか１項に記載の情報受信装置に対して、前記コンテンツおよび／または前記コンテンツの配信予定情報を提供するものであり、上記配信予定情報情報に含まれる前記告知情報として前記コンテンツの懸賞情報を提供することを特徴とする情報配信装置。
【請求項９】
コンテンツと、当該コンテンツの配信予定情報を提供するコンテンツ配信装置と、
コンテンツの出力処理が開始されたか否かを判定する出力処理開始判定部と、上記出力処理開始判定部にて、出力処理が開始されたと判定された上記コンテンツに関する特定の告知情報の有無を確認する告知情報有無確認部と、上記告知情報有無確認部にて上記告知情報があると判定したときに、上記告知情報がある旨および／または上記告知情報に関連する情報を出力する告知情報出力部と、を少なくとも備えている情報受信装置と、
を備えることを特徴とする情報配信システム。
【発明の詳細な説明】
【技術分野】
【０００１】
本発明は、情報受信装置、情報受信方法、情報受信プログラム、情報配信装置、並びに情報配信システムに関する。
【背景技術】
【０００２】
近年、地上デジタル放送やＢＳ（Ｂｒｏａｄｃａｓｔｉｎｇ  ｓａｔｅｌｌｉｔｅ）などのデジタル放送において、放送する番組内容を示す電子番組表（ＥＰＧ：Ｅｌｅｃｔｒｏｎｉｃ  Ｐｒｏｇｒａｍ  Ｇｕｉｄｅ、以下、単に「ＥＰＧ」という）が知られている。このＥＰＧ情報を活用することで、視聴者側の利便性を高めるべく、様々な提案がなされている。たとえば、このＥＰＧ情報を用いて、提供される番組連動型の放送データのみ予約印刷する、または番組の動画データとは独立して別々に予約印刷することが提案されている（特許文献１参照）。
【０００３】
また、このＥＰＧ情報を用いて、車載型のデジタル放送受信機で番組を視聴する際に、視聴者毎にグループ分けされた固有の電子番組表を表示させると共に、受信感度に応じた情報を当該固有の電子番組表に反映させることが提案されている（特許文献２参照）。
【０００４】
また、ＡＤＭＳ（ＴＶ−Ａｓａｈｉ  Ｄａｔａ  Ａｎｄ  Ｍｕｌｔｉｍｅｄｉａ  Ｓｅｒｖｉｃｅ）−ＥＰＧやｉＥＰＧなど、ＥＰＧ情報をインターネット経由で提供するものも知られており、インターネット経由で受信したＥＰＧ情報と放送波から受信したＥＰＧ情報とを受信した場合の制御についての提案もなされている（特許文献３参照）。
【先行技術文献】
【特許文献】
【０００５】
【特許文献１】特開２００７−２３５６３９号公報（要約、段落[００１３]等）
【特許文献２】特開２００７−８９２２０号公報（要約、段落[０００７]等）
【特許文献３】特開２００８−２５２４４７号公報（要約等）
【発明の概要】
【発明が解決しようとする課題】
【０００６】
しかしながら、特許文献１〜３に開示される技術では、視聴者は、たとえば放送が予定されている番組内や現在放送中の番組内で懸賞やプレゼントの告知がある場合に放送が開始されるときにそれらの懸賞やプレゼントの告知の有無を知ることができない。また、他の放送番組を視聴しており、選局切り替えを行った時に切り替えた番組内での懸賞やプレゼントの告知があるか否かを知ることができない。また、視聴者は、番組内で懸賞の告知がある場合に、その懸賞の応募期間がたとえば番組放送中だけのリアルタイム性の高いものであるとか、応募締め切りがいつまでといった情報を知ることができない。また、番組を録画予約する際にも、録画予約をしようとする人は、当該予約をしようとしている番組についての懸賞の有無、更には懸賞がある場合の応募期間などの情報を知ることができない。したがって、録画した番組を後で視聴する際に、懸賞に応募したくても、懸賞の応募期間が経過しており、懸賞に応募できない場合もある。
【０００７】
そこで、本発明は、上述した課題に鑑み、放送番組内で告知される情報を容易に把握できると共に、放送番組の視聴率アップに寄与することができる情報受信装置、情報受信方法、情報受信プログラム、情報配信装置、並びに情報配信システムを提供することを目的とする。
【課題を解決するための手段】
【０００８】
本発明の一側面である情報受信装置は、コンテンツの出力処理が開始されたか否かを判定する出力処理開始判定部と、出力処理開始判定部にて、出力処理が開始されたと判定されたコンテンツに関する特定の告知情報の有無を確認する告知情報有無確認部と、告知情報有無確認部にて告知情報があると判定したときに、告知情報がある旨および／または告知情報に関連する情報を出力する告知情報出力部と、を備えたものである。
【０００９】
また、本発明の一側面である情報受信装置は、上述した構成に加えて、前記コンテンツは、放送局から送出される放送波に重畳された放送番組であり、前記コンテンツに関する特定の前記告知情報は、上記放送番組内で告知される懸賞に関する情報であり、上記懸賞に関する情報は、上記放送局から送出される放送波、もしくは上記放送波以外の他の通信手段を介して前記情報受信装置へ送信されてくることが好ましい。
【００１０】
また、本発明の一側面である情報受信装置は、上述した構成に加えて、コンテンツに関する特定の告知情報の出力有無情報を記憶する記憶部を備え、告知情報出力部は、記憶部を参照してコンテンツに関する特定の告知情報が所定の期間出力されていないときは、コンテンツで告知される特定の告知情報がある旨を出力することが好ましい。
【００１１】
また、本発明の一側面である情報受信装置は、上述した構成に加えて、コンテンツを切り替える操作入力部を備え、出力処理開始判定部は、コンテンツが操作入力部により切り替えられたときは、切り替えられたコンテンツの出力処理が開始されたと判定し、告知情報有無確認部は、切り替えられたコンテンツで告知される特定の告知情報の有無を確認し、告知情報出力部は、告知情報有無確認部にて切り替えられたコンテンツに告知情報があると判定したときに、切り替えられたコンテンツで告知される特定の告知情報がある旨および／または告知情報に関連する情報を出力することが好ましい。
【００１２】
また、本発明の一側面である情報受信装置は、上述した構成に加えて、出力処理開始判定部は、視聴予約が予めなされているコンテンツに対して出力処理が開始されたか否かを判定し、告知情報有無確認部は、出力処理開始判定部により出力処理が開始されたと判定されたコンテンツで告知される特定の告知情報の有無を確認し、告知情報出力部は、告知情報有無確認部にて特定の告知情報があると判定したときに、特定の告知情報がある旨および／または告知情報に関連する情報を出力することが好ましい。
【００１３】
また、本発明の一側面である情報受信方法は、コンテンツの出力処理が開始されたか否かを判定する出力処理開始判定ステップと、出力処理開始判定ステップにて、出力処理が開始されたと判定されたコンテンツに関する特定の告知情報の有無を確認する告知情報有無確認ステップと、告知情報有無確認ステップにて、告知情報があると判定したときに、告知情報がある旨および／または告知情報に関連する情報を出力する告知情報出力ステップと、を有するものである。
【００１４】
また、本発明の一側面である情報受信プログラムは、コンピュータを、コンテンツの出力処理が開始されたか否かを判定する出力処理開始判定手段と、出力処理開始判定手段にて、出力処理が開始されたと判定されたコンテンツに関する特定の告知情報の有無を確認する告知情報有無確認手段と、告知情報有無確認手段にて告知情報があると判定したときに、告知情報がある旨および／または告知情報に関連する情報を出力する告知情報出力手段と、として機能させるものである。
【００１５】
また、本発明の一側面である情報配信装置は、上述した情報受信装置に対して、コンテンツおよび／またはコンテンツの配信予定情報を提供するものであり、配信予定情報情報に含まれる告知情報としてコンテンツの懸賞情報を提供するものである。
【００１６】
また、本発明の一側面である情報配信システムは、コンテンツと、当該コンテンツの配信予定情報を提供するコンテンツ配信装置と、コンテンツの出力処理が開始されたか否かを判定する出力処理開始判定部と、出力処理開始判定部にて、出力処理が開始されたと判定されたコンテンツに関する特定の告知情報の有無を確認する告知情報有無確認部と、告知情報有無確認部にて告知情報があると判定したときに、告知情報がある旨および／または告知情報に関連する情報を出力する告知情報出力部と、を少なくとも備えている情報受信装置と、を備えるものである。
【発明の効果】
【００１７】
本発明によれば、放送番組内で告知される情報を容易に把握できると共に、放送番組の視聴率アップに寄与することができる情報受信装置、情報受信方法、情報受信プログラム、情報配信装置、並びに情報配信システムを提供することができる。
【図面の簡単な説明】
【００１８】
【図１】本発明の第１実施形態に係る情報配信システムの全体構成を示す図である。
【図２】図１に示す放送局の有する放送送信装置の構成を示すブロック図である。
【図３】図１に示す放送受信装置の全体構成を示すブロック図である。
【図４】懸賞情報のデータ列の一例を示す図である。
【図５】図１に示す放送送信装置の放送配信処理のフローチャートである。
【図６】図１に示す放送受信装置の懸賞情報表示処理のフローチャートである。
【図７】図１に示す放送受信装置の懸賞情報表示処理のフローチャートである。
【図８】図１に示す放送受信装置の懸賞情報表示処理のフローチャートである。
【図９】図３に示す表示装置で表示される懸賞情報表示画面例である。
【図１０】図３に示す表示装置で表示される懸賞情報表示画面例である。
【図１１】図１に示す放送送信装置の変形例の放送配信処理のフローチャートである。
【図１２】本発明の第２実施形態に係る情報配信システムの全体構成を示す図である。
【図１３】図１２に示す放送受信装置の全体構成を示すブロック図である。
【図１４】図１２に示す放送局サーバの全体構成を示すブロック図である。
【図１５】図１２に示す放送局サーバから送信される懸賞情報のデータ列の一例を示す図である。
【図１６】図１２に示す放送局サーバのＥＰＧ情報送信処理のフローチャートである。
【図１７】本発明の第２実施形態の変形例である放送局サーバから配信されるデータ列の一例を示す図である。
【図１８】本発明の第２実施形態の変形例である放送局サーバから配信されるデータ列の一例を示す図である。
【図１９】図１６に示すＥＰＧ情報送信処理の変形例を示す図である。
【発明を実施するための形態】
【００１９】
以下、本発明の実施形態について図面を参照しながら説明する。なお、以下の順に沿って説明していく。
１．情報配信システム（実施例１）の全体構成
１−１．各部の説明
１−１−１．放送送信装置の構成
１−１−２．放送受信装置の構成
１−２．各装置の処理
１−２−１．放送送信装置の懸賞情報配信処理
１−２−２.放送受信装置の懸賞情報表示処理
１−２−２−１．懸賞情報表示処理その１
１−２−２−２．懸賞情報表示処理その２
１−２−２−３．懸賞情報表示処理その３
１−３．懸賞情報表示例
１−３−１．懸賞情報表示画面例その１
１−３−２．懸賞情報表示画面例その２
１−４．実施例１の変形例
１−４−１．放送送信装置の構成
１−４−２．放送送信装置の処理
２．情報配信システム（実施例２）の全体構成
２−１．各部の説明
２−１−１．放送受信装置の構成
２−１−２．放送局サーバの構成
２−２．各装置の処理
２−２−１．放送局サーバの懸賞情報配信処理
２−２−２．放送受信装置の懸賞情報表示処理
２−３．実施例２の変形例
２−３−１．放送局サーバの構成
２−３−２．放送受信装置の構成
２−３−３．放送局サーバの配信処理
２−３−４．放送受信装置の懸賞情報表示処理
３．他の実施形態
【実施例１】
【００２０】
１．情報配信システム１（実施例１）の全体構成
まず、本発明の第１実施形態に係る情報配信システム１について説明する。図１は、本発明の第１実施形態に係る情報配信システム１の全体構成を示す図である。図１に示すように、情報配信システム１は、放送局１０と、放送受信装置３０とを有している。なお、図１には、１つの放送局１０および２つの放送受信装置３０を図示したが、情報配信システム１には、複数の放送局１０および３以上の放送受信装置３０を有してもよい。
【００２１】
放送局１０は、放送スケジュールに沿って放送番組用のコンテンツをストリームデータとして送出する。また、放送局１０は、放送波にデータ放送、ＥＰＧ（Ｅｌｅｃｔｒｏｎｉｃ  Ｐｒｏｇｒａｍ  Ｇｕｉｄｅ）情報を重畳して送出することができる放送送信装置１１（図２参照）を有している。また、放送受信装置３０は、放送局１０の放送送信装置１１からの放送波を受信し、受信した放送番組の映像、音声出力やＥＰＧ情報の出力を行う。
【００２２】
１−１．各部の説明
１−１−１．放送送信装置の構成
図２は、図１に示す放送局１０が有する放送送信装置１１の構成を示すブロック図である。図２に示すように、放送送信装置１１は、制御部１２、コンテンツストリーム作成部１３、ＥＰＧ情報作成部１４、データ放送作成部１５、ＭＵＸ（ＭＵｌｔｉｐｌｅＸｅｒ）部１６、放送用コンテンツＤＢ１７、放送スケジュールＤＢ１８、データ放送用コンテンツＤＢ１９を主要な構成要素としている。なお、放送送信装置１１は、請求項の放送配信装置に対応している。
【００２３】
ここで、上述したコンテンツストリーム作成部１３、ＥＰＧ情報作成部１４、データ放送作成部１５、ＭＵＸ部１６の各機能が実現する情報処理は、放送送信装置１１全体を制御する制御部１２がハードウェア資源と協働して実行することにより実現される。具体的には、制御部１２は、不図示のハードウェア資源であるＣＰＵなどから構成され、ＣＰＵが不図示のＲＯＭに格納されている各種プログラムを不図示のＲＡＭに読み出して協働して実行することにより実現している。また、上述した放送用コンテンツＤＢ１７、放送スケジュールＤＢ１８、データ放送用コンテンツＤＢ１９は不図示の記憶部に記憶されており、記憶部は、たとえばＨＤＤ（Ｈａｒｄ  Ｄｉｓｃ  Ｄｒｉｖｅ）やフラッシュメモリなどから構成される。
【００２４】
コンテンツストリーム作成部１３は、放送用コンテンツＤＢ１７を参照して放送用コンテンツを作成する。なお、本実施例において、放送用コンテンツは、ＭＰＥＧ２−ＴＳ（Ｍｏｔｉｏｎ  Ｐｈｏｔｏｇｒａｐｈｉｃ  Ｃｏｄｅｉｎｇ  Ｅｘｐｅｒｔｓ  Ｇｒｏｕｐｅ−２  Ｔｒａｎｓｐｏｒｔ  Ｓｔｒｅａｍ）規格に準拠して符号化及び多重化されているものとして説明する。ＭＰＥＧ２−ＴＳ規格では、伝送されるコンテンツの映像及び音声等は、符号化されたＥＳ（Ｅｌｅｍｅｎｔａｒｙ  Ｓｔｒｅａｍ）として生成され、ＥＳを意味のある単位毎にパケット化されたＰＥＳ（Ｐａｃｋｅｔｉｚｅｄ  Ｅｌｅｍｅｎｔａｒｙ  Ｓｔｒｅａｍ）が生成される。更に、ＰＥＳを分割したＴＳ（Ｔｒａｎｓｐｏｒｔ  Ｓｔｒｅａｍ）パケットが、放送局１０から伝送される。
【００２５】
また、各ＴＳパケットのヘッダにＰＩＤと呼ばれる１３ビットのパケット識別子を付与することにより、各ＴＳパケットが、放送用コンテンツの映像データ、音声データ、制御データ等のいずれであるのか分類することができる。
【００２６】
また、ここでいう制御データとは、ＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）と呼ばれるデータを指している。ＳＩ／ＰＳＩのＳＩは、ＥＰＧ情報を作成するために必要な情報等を含み、ＰＳＩは、基本的な制御をするための情報を含む制御データのことである。なお、ＴＳパケットには、放送局１０の意図に反する視聴を防止するための暗号化処理（以下、「スクランブル処理」という）が施されていてもよい。ここで、スクランブル処理の方式としてたとえば、Ｍｕｌｔｉ２を使用することができる。このＭｕｌｔｉ２は、デジタルデータを暗号化する方式の一つであり、ＢＳデジタル放送や地上デジタル放送などでも広く採用されている。なお、放送用コンテンツＤＢ１７には、上述した放送用コンテンツの元になるコンテンツデータが記憶されている。
【００２７】
ＥＰＧ情報作成部１４は、制御部１２の制御により、放送スケジュールＤＢ１８を参照してＥＰＧ情報を作成する機能を有する。放送スケジュールＤＢ１８には、放送局１０が放送する番組の放送スケジュール情報が記憶されている。また、放送スケジュールＤＢ１８に記憶されている番組には懸賞情報の有無等が含まれている。ＥＰＧ情報作成部１４は、放送スケジュールＤＢ１８に記憶されている番組には懸賞情報の有無等を含めてＥＰＧ情報を作成することもできる。なお、放送スケジュールＤＢ１８に、他の放送局１０が放送する番組の放送スケジュール情報および各番組の懸賞情報の有無等が記憶されていてもよい。
【００２８】
データ放送作成部１５は、制御部１２の制御により、データ放送用コンテンツＤＢ１９から例えば天気予報や番組に関連した情報等のデータ放送を作成する。なお、データ放送も、上述した放送用コンテンツと同様にＭＰＥＧ２−ＴＳ規格に準拠して符号化及び多重化されているものとして説明する。なお、データ放送用コンテンツＤＢ１９には、天気予報や番組に関連した情報等のデータ放送以外にも、その番組に関係する放送局１０が提供するＵＲＬ（Ｕｎｉｆｏｒｍ  Ｒｅｓｏｕｒｃｅ  Ｌｏｃａｔｏｒ）情報やＰ２Ｐ（Ｐｅｅｒ  ｔｏ  Ｐｅｅｒ）方式で利用できる検索クエリ情報が記憶されていてもよい。なお、データ放送作成部１５は、これらの情報をあわせてＭＵＸ部１６に供給する。
【００２９】
ＭＵＸ部１６は、制御部１２の制御により、コンテンツストリーム作成部１３が放送用コンテンツＤＢ１７を参照して作成した放送用コンテンツと、ＥＰＧ情報作成部１４が放送スケジュールＤＢ１８を参照して作成したＥＰＧ情報と、放送作成部２３がデータ放送用コンテンツＤＢ１９を参照して作成したデータ放送番組データとを多重化した放送データを生成する。そして、当該放送データは、放送局１０のアンテナから放送波として送出される。
【００３０】
１−１−２．放送受信装置の構成
【００３１】
続いて、放送受信装置３０について説明する。図３は、図１に示す放送受信装置３０のブロック構成を示す図である。放送受信装置３０は、たとえばＴＶ放送やラジオ放送を受信する端末であり、固定されている受信端末であるか、携帯できる移動体端末であるかを問わない。また、放送受信装置３０は、放送局１０から受信した情報を表示装置５０、音声再生装置６０へ出力する。なお、本実施形態に係る放送受信装置３０は、表示装置５０、音声再生装置６０とは別個の装置としている。しかし、これに限定するものではなく、放送受信装置３０、表示装置５０、音声再生装置６０が同じ筐体内に具備されるようなもの、例えばテレビセットとしても良い。また、放送受信装置３０と表示装置５０とが同一の筐体内に具備され、音声再生装置６０だけが別の筐体内に具備されるような構成であっても良い。つまり、これら３つの放送受信装置３０、表示装置５０、音声再生装置６０をどのような装置内に具備するのかについては特に限定するものではない。また、放送受信装置３０には録画機能、録音機能を有していてもよい。
【００３２】
図３に示すように、放送受信装置３０は、操作入力部３１、制御部３２、チューナー３３、ＤＥＭＵＸ（ＤＥＭＵｌｔｉｐｌｅＸｅｒ）部３４、デコード部３５、映像音声出力部３６、記録部３７を主要な構成要素としている。ここで、制御部３２は、たとえば不図示のハードウェア資源であるＣＰＵなどで構成されており、記録部３７やＲＯＭなどに格納されている各種プログラムをＲＡＭに読み出して、各種演算処理を協働して実行することで、放送受信装置３０の各部の機能が行う情報処理を実現することができる。
【００３３】
操作入力部３１は、たとえばリモコンやタッチパネルで構成されるが、音声入力等ができるように構成されてもよい。また、操作入力部３１は、ユーザからの操作入力を受け付けて、制御部３２へユーザの指示（たとえば、ＥＰＧ画面表示要求、懸賞情報表示要求、選局変更処理要求など）を伝える。ユーザは、この操作入力部３１を操作することで、放送受信装置３０への操作入力を行うことができる。なお、放送受信装置３０への操作入力は、赤外線などの無線信号（操作信号）を介して放送受信装置３０内に設けられた操作入力部３１に入力されるようにしてもよい。操作入力部３１に入力された操作信号は、不図示のバスを介して制御部３２に供給される。なお、操作入力部３１は、請求項の電子番組情報取得要求部および告知情報取得要求部に対応している。
【００３４】
制御部３２は、不図示のＣＰＵなどで構成され、操作入力部３１に入力された操作信号を解析し、放送受信装置３０を構成する各部若しくはその一部の動作を制御する中央演算処理装置である。例えば、ユーザが操作入力部３１を用いてチャンネルの選局指示を入力すると、この選局指示内容を示す信号が、操作入力部３１および不図示のバスを介して制御部３２に入力される。これにより制御部３２は、不図示のバスを介してチューナー３３に対して、ユーザが選局したチャンネルへの選局指示を送信する。なお、制御部３２は、請求項の出力処理開始判定部、告知情報有無確認部、告知情報出力部の一部に対応している。
【００３５】
チューナー３３は、放送局１０の放送波をアンテナで受信し、受信したＲＦ（Ｒａｄｉｏ  Ｆｒｅｑｕｅｎｃｙ）信号を復調し、誤り訂正等を行い、ＴＳパケットからなるＴＳ信号をＤＥＭＵＸ部３４へ出力する。なお、チューナー３３は、請求項の出力処理開始判定部の一部、告知情報有無確認部の一部に対応している。
【００３６】
チューナー３３は、図３において地上デジタル放送を受信するために１つのみ図示したが、アナログ放送も受信する場合にはアナログ放送用のチューナー３３を備えていてもよく、２つのチューナー３３を備えるようにしてもよい。なお、放送受信装置３０は、ＴＳ信号がスクランブル処理を施されて伝送されてきた場合には、通常の信号へと解除する処理を行うデスクランブラ部を備えていてもよい。その場合には、当該デスクランブラ部は、スクランブル処理が解除されたＴＳパケットからなるＴＳ信号を、ＤＥＭＵＸ部３４に供給するようにしてもよい。
【００３７】
ＤＥＭＵＸ部３４は、チューナー３３から出力されたＴＳパケットからなるＴＳ信号（つまり、送信側の放送送信装置１１のＭＵＸ部１６で映像や音声などの複数のストリームを多重化した放送データ）を、映像や音声などのストリームデータと、ＳＩ／ＰＳＩなどのセクション形式のデータとに分離する処理を行う。ＤＥＭＵＸ部３４によって分離された各データは、制御部３２の指示にしたがい、デコード部３５に供給される。なお、ＤＥＭＵＸ部３４は、請求項の出力処理開始判定部の一部、告知情報有無確認部の一部に対応している。
【００３８】
デコード部３５は、制御部３２の指示にしたがい、放送データに含まれる放送用コンテンツやＥＰＧ情報、データ放送などをデコードする。また、デコード部３５は、デコードしたこれらのデータを記録部３７に供給する。なお、デコード部３５が記録部３７に供給するデータは、映像信号、音声信号としてデコードせずに、データ信号としてそのまま供給するようにしてもよい。
【００３９】
また、デコード部３５は、上述した放送データに含まれる放送用コンテンツやＥＰＧ情報、データ放送などに対してデコードを行って、それぞれオーディオデータ、ビデオデータ、番組データを生成する。デコードされたオーディオデータは、上述の音声再生装置６０に供給する。そして、音声再生装置６０は、供給されたオーディオデータに対してＤ／Ａ変換処理を行い、音声信号として出力する。また、デコード部３５は、デコードされたビデオデータおよび番組データを、映像音声出力部３６へ供給する。なお、デコード部３５は、請求項の告知情報出力部の一部に対応している。
【００４０】
映像音声出力部３６は、供給された番組データを不図示のＲＡＭに格納する。映像音声出力部３６は、番組データを描画することでＥＰＧ情報を生成する。そして、映像音声出力部３６は、デコード部３５からのビデオデータに基づいた画面上に、ＥＰＧ情報に基づいた画面を合成した合成画面を生成し、表示装置５０に送出する。表示装置５０は、この合成画面を表示する。なお、映像音声出力部３６は、請求項の告知情報出力部の一部に対応している。記録部３７は、制御部３２からの記録指示によりデコード部３５でデコードしたデータを記憶する。
【００４１】
１−２．各装置の処理
１−２−１．放送送信装置の懸賞情報配信処理
図４は、懸賞情報のデータ列の一例を示す図である。図４に示すように、懸賞情報のデータ列には、「放送種別」、「放送局名」、「放送開始日時」、「放送終了日時」、「番組名」、「プレゼントジャンル」、「プレゼント商品名」、「プレゼント画像」、「リアルタイムか否か」、「応募方法」、「懸賞申し込み開始日時」、「懸賞申し込み終了日時」などのフィールドが含まれている。「放送種別」のフィールドには、地上デジタル放送やＢＳデジタル放送、ＣＳ放送、ＦＭラジオ放送、ＡＭラジオ放送等の放送種別が記載される。「放送局名」のフィールドには、放送局名が記載される。「番組名」のフィールドには、当該番組のフィールド名が記載される。「放送開始日時」、「放送終了日時」のフィールドには、当該番組の開始時刻、終了時刻がそれぞれ記載される。「リアルタイム情報」のフィールドには、番組放送中にリアルタイム（あるいは番組放送日）に応募が締切となる懸賞かどうかの情報が記載される。「プレゼントジャンル」のフィールドには、当該プレゼントのジャンル情報が記載される。「プレゼント名」のフィールドには、当該プレゼント名が記載される。「応募方法」のフィールドには、懸賞の応募方法の種別（例えば郵送、電話、インターネット等）が記載される。「懸賞申し込み開始日時」、「懸賞申し込み終了日時」のフィールドには、それぞれ懸賞の申込開始日時、締切日時が記載される。なお、郵送の場合は、消印が有効な日が記載されてもよい。「応募方法」のフィールド以降については、複数の応募方法がある場合はそれぞれの応募方法について順次繰り返し形式でフィールドが追加されるようにしてもよい。
【００４２】
上述した懸賞情報をＥＰＧ情報に追加する場合には、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）で規定される地上デジタル放送や、ＢＳデジタル放送のＳＩ情報中にあるＥＰＧ情報のＴＹＰＥ−Ｈを表示するための、番組表形式のデータ部分又は及び個別の番組説明のためのデータ部分に入れることが好ましい。また、他の放送や他のＥＰＧ表示形式の場合（ワンセグ放送）の場合には、番組名や番組説明のためのテキスト情報のデータ中に懸賞情報を入れることが好ましい。また、懸賞情報は、放送受信装置３０側でテキスト検索できるよう、所定のキーワード“懸賞”、“プレゼント”といった文字列を含むようにすることが好ましい。また、応募条件を記述する場合には、“応募条件”という文字列のあとに所定の条件内容を記載することが好ましい。応募の開始、終了期間についても、同様に形式で表現を行うことが好ましい。
【００４３】
図５は、図１に示す放送送信装置１１の放送配信処理のフローチャートである。
【００４４】
ＳＴＡＲＴ：制御部１２は、電源がＯＮになる、または当該配信モードが選択されると放送配信処理を開始する。制御部１２は、放送配信処理が開始されると、ステップＳ１０１の処理へ移行する。
【００４５】
ステップＳ１０１：制御部１２は、放送スケジュールＤＢ１８を参照して、送信する期間内（たとえば、１週間など）の番組の中から１つの番組を抽出し、当該番組が懸賞のある番組か否か判定する。たとえば、抽出した番組が地上ＴＶ、東京ＢＣの２００９／１／１  １７：００〜１９：００「日本７不思議発掘！」である場合には、当該番組が懸賞のある番組か否かを判定する。具体的には、図４に示す懸賞情報のデータ列に当該番組があるか否かを判定する。制御部１２は、放送スケジュールＤＢ１８を参照して抽出された番組が懸賞のある番組である場合（ステップＳ１０１でＹＥＳ）にはステップＳ１０２の処理へ移行し、懸賞のある番組でない場合（ステップＳ１０１でＮＯ）にはステップＳ１０３の処理へ移行する。
【００４６】
ステップＳ１０２：制御部１２は、懸賞情報を含んだＥＰＧ情報を生成する。懸賞情報が、例えば図４のデータ列である場合には、プレゼントジャンルやプレゼント商品名、プレゼント画像、リアルタイムか否か、応募方法、懸賞期間といった各項目の情報を追加したＥＰＧ情報を生成する。制御部１２は、ステップＳ１０２の処理が完了すると、ステップＳ１０４の処理へ移行する。
【００４７】
ステップＳ１０３：制御部１２は、ＥＰＧ情報を生成する。制御部１２は、ステップＳ１０３の処理が完了すると、ステップＳ１０４の処理へ移行する。
【００４８】
ステップＳ１０４：制御部１２は、送信する期間内の全ての番組について懸賞情報の有無をチェックしたか否かを判定する。制御部１２は、送信する期間内の全ての番組について懸賞の有無をチェックした場合（ステップＳ１０４でＹＥＳ）は、ステップＳ１０５の処理へ移行し、チェックしていない場合（ステップＳ１０４でＮＯ）は、ステップＳ１０１の処理へ戻る。
【００４９】
ステップＳ１０５：制御部１２は、放送コンテンツ、データ放送、ＥＰＧ情報を多重化する。制御部１２は、ステップＳ１０５の処理が完了すると、ステップＳ１０６の処理へ移行する。
【００５０】
ステップＳ１０６：制御部１２は、ステップＳ１０５で多重化した放送データを配信して放送配信処理を終了する（ＥＮＤ）。
【００５１】
このような配信処理とすることで、懸賞情報の有無がＥＰＧ情報に含まれて配信されるため、視聴者が放送番組内で告知される情報を容易に知ることができる。また、当該告知情報が放送番組の視聴するための動機付けとなり、当該放送番組の視聴率アップに寄与することができる。
【００５２】
１−２−２.放送受信装置の懸賞情報表示処理
１−２−２−１．放送受信装置の懸賞情報表示処理その１
図６は、図１に示す放送受信装置３０の懸賞情報表示処理のフローチャートである。
【００５３】
ＳＴＡＲＴ：制御部３２は、電源がＯＮになる、または当該表示処理モードが選択されると懸賞情報表示処理を開始する。制御部３２は、懸賞情報表示処理が開始されると、ステップＳ１３１の処理へ移行する。
【００５４】
ステップＳ１３１：制御部３２は、放送番組が開始されたか否かを判定する。制御部３２は、放送番組が開始された場合（ステップＳ１３１でＹＥＳ）には、ステップＳ１３２の処理へ移行し、放送番組が開始されない場合（ステップＳ１３１でＮＯ）には、ステップＳ１３１の判定処理を繰り返す。
【００５５】
ステップＳ１３２：制御部３２は、放送番組の放送開始時間帯を含むＥＰＧ情報を受信しているか否かを判定する。制御部３２は、放送番組の放送開始時間帯を含むＥＰＧ情報を受信している場合（ステップＳ１３２でＹＥＳ）には、ステップＳ１３４の処理へ移行し、ＥＰＧ情報を受信していない場合（ステップＳ１３２でＮＯ）には、ステップＳ１３３の処理へ移行する。
【００５６】
ステップＳ１３３：制御部３２は、放送番組の放送開始時間帯を含むＥＰＧ情報を受信する。制御部３２はステップＳ１３３の処理が完了すると、ステップＳ１３４の処理へ移行する。
【００５７】
ステップＳ１３４：制御部３２は、当該放送番組の放送時間帯を含むＥＰＧ情報を参照して、当該番組に関連付けられた懸賞情報の有無を判定する。制御部３２は、当該番組に関連付けられた懸賞情報がある場合（ステップＳ１３４でＹＥＳ）には、ステップＳ１３５の処理へ移行し、懸賞情報がない場合（ステップＳ１３４でＮＯ）には、表示すべき懸賞情報がないので懸賞情報表示処理を終了する（ＥＮＤ）。
【００５８】
ステップＳ１３５：制御部３２は、ステップＳ１３４において、当該放送番組に関連付けられた懸賞情報がある旨を出力して懸賞情報表示処理を終了する（ＥＮＤ）。
【００５９】
なお、この懸賞情報表示処理を視聴予約されている放送番組を再生するときに行うようにしてもよい。
【００６０】
このような表示処理とすることで、放送番組が開始したときに懸賞情報の有無を知らせることができる。また、視聴予約した放送番組を再生するときに懸賞情報の有無を知らせることができる。また、懸賞情報がある番組であることを視聴者に明確に知らせることで、放送番組に興味を引きつけることができる。つまり、放送番組内で告知される情報を容易に把握できると共に、放送番組の視聴率アップに寄与することができる。
【００６１】
１−２−２−２．放送受信装置の懸賞情報表示処理その２
続いて、放送受信装置の懸賞情報表示処理その２について説明する。この懸賞情報表示処理その２は、懸賞情報表示処理その１と異なり、放送番組の選局時（チャンネル切り替え時）に懸賞情報の有無等を表示させるものである。図７は、図１に示す放送受信装置の懸賞情報表示処理のフローチャートである。
【００６２】
ＳＴＡＲＴ：制御部３２は、放送受信装置３０の電源がＯＮになる、または当該表示処理モードが選択されると懸賞情報表示処理を開始する。制御部３２は、懸賞情報表示処理が開始されると、ステップＳ２０１の処理へ移行する。なお、表示装置５０の電源がＯＮになったときに懸賞情報表示処理を開始するようにしてもよい。
【００６３】
ステップＳ２０１：制御部３２は、ＥＰＧ情報を受信しているか否かを判定する。制御部３２は、ＥＰＧ情報を受信している場合（ステップＳ２０１でＹＥＳ）には、ステップＳ２０３の処理へ移行し、ＥＰＧ情報を受信していない場合（ステップＳ２０１でＮＯ）には、ステップＳ２０２の処理へ移行する。
【００６４】
ステップＳ２０２：制御部３２は、ＥＰＧ情報を受信する。制御部３２はステップＳ２０２の処理が完了すると、ステップＳ２０４の処理へ移行する。
【００６５】
ステップＳ２０３：制御部３２は、選局されている放送番組に懸賞があるか否かを判定する。具体的には、制御部３２は、受信しているＥＰＧ情報から当該放送番組に関連付けられている懸賞情報の有無を判定する。制御部３２は、選局されている放送番組に懸賞がある場合（ステップＳ２０３でＹＥＳ）には、ステップＳ２０４の処理へ移行し、懸賞がない場合（ステップＳ２０３でＮＯ）には、ステップＳ２０５の処理へ移行する。
【００６６】
ステップＳ２０４：制御部３２は、選局された放送番組および当該放送番組の懸賞情報がある旨を表示装置５０に出力して、放送番組および当該放送番組に懸賞がある旨を表示する。制御部３２は、ステップＳ２０４の処理が完了すると、ステップＳ２０６の処理へ移行する。
【００６７】
ステップＳ２０５：制御部３２は、選局された放送番組を表示装置５０に出力して、放送番組を表示する。制御部３２は、ステップＳ２０４の処理が完了すると、ステップＳ２０６の処理へ移行する。
【００６８】
ステップＳ２０６：制御部３２は、現在選局されている放送局１０と異なる放送局１０が選局されたか否かを判定する。具体的には、制御部３２は、操作入力部３１からの入力信号により異なる放送局１０が選局されたか否かを判定する。制御部３２は、現在選局されている放送局１０と異なる放送局１０が選局された場合（ステップＳ２０６でＹＥＳ）には、ステップＳ２０３の処理へ移行し、現在選局されている放送局１０と異なる放送局１０が選局されない場合（ステップＳ２０６でＮＯ）には、ステップＳ２０６の判定処理を繰り返す。
【００６９】
このような表示処理とすることで、放送番組が選局されたときに懸賞情報の有無を知らせることができる。また、懸賞情報がある番組であることを選局時に視聴者へ知らせることで、当該放送番組に対して興味を引きつけることができる。つまり、放送番組内で告知される情報を容易に把握できると共に、放送番組の視聴率アップに寄与することができる。
【００７０】
１−２−２−３．放送受信装置の懸賞情報表示処理その３
続いて、放送受信装置の懸賞情報表示処理その３について説明する。この懸賞情報表示処理その３は、
懸賞情報表示処理その２の処理に加えて、懸賞情報の表示有無を記憶すると共に、所定の時間内に一度表示させた場合には、懸賞情報を表示させない制御を行うものである。図８は、図１に示す放送受信装置の懸賞情報表示処理のフローチャートである。なお、図７で説明した処理と同一の処理（図８のＳＴＡＲＴ、ステップＳ２０１、Ｓ２０２、Ｓ２０３、Ｓ２０４、Ｓ２０５、Ｓ２０６の処理）については、同一の符号を付して、説明を省略する。
【００７１】
ステップＳ２０７：制御部３２は、現在選局されている放送局１０と異なる放送局１０が選局された場合（ステップＳ２０６でＹＥＳ）には、選局されている放送番組に懸賞があるか否かを判定する。具体的には、制御部３２は、受信しているＥＰＧ情報から当該放送番組に関連付けられている懸賞情報の有無を判定する。制御部３２は、選局されている放送番組に懸賞がある場合（ステップＳ２０７でＹＥＳ）には、ステップＳ２０８の処理へ移行し、懸賞がない場合（ステップＳ２０３でＮＯ）には、ステップＳ２０５の処理へ移行する。
【００７２】
ステップＳ２０８：制御部３２は、ステップＳ２０７において選局されている放送番組に懸賞があると判定されると、更に当該放送番組の懸賞がある旨を所定の時間内に表示させたか否かを判定する。ここで所定の時間とは、たとえば１０分以内に他のチャンネルに切り替え、またもとのチャンネルに戻した場合などの時間を指しており、過去の別の日に表示させたか否かを判定するものではない。なお、所定の時間内に表示させたか否か判定処理を行う対象となる懸賞情報の種類毎（商品のジャンル、リアルタイム性の高い懸賞のみなど）に応じて表示するか否かを設定するようにしてもよい。制御部３２は、当該放送番組の懸賞がある旨を所定の時間内に表示させた場合（ステップＳ２０８でＮＯ）には、ステップＳ２０５の処理へ移行し、所定の時間内に表示させていない場合（ステップＳ２０８でＹＥＳ）には、ステップＳ２０４の処理へ移行する。
【００７３】
このような表示処理とすることで、放送番組が所定時間内に再度選局されたときは、懸賞情報の有無を何度も知らせることがなくなる。また、懸賞を表示させる場合には、懸賞情報の種類により表示するか否かを設定することができるので、懸賞が表示された放送番組に対して興味を引きつけることができる。つまり、放送番組内で告知される情報を容易に把握できると共に、放送番組の視聴率アップに寄与することができる。
【００７４】
１−３．懸賞情報表示例
１−３−１．懸賞情報表示画面例その１
図９は、図３に示す表示装置５０で表示される懸賞情報表示画面例である。図９に示すように、表示画面の左側の枠内には放送画面が表示されていると共に、表示画面の右側の枠内には現在放送中の懸賞情報が１つ表示されている。
【００７５】
１−３−２．懸賞情報表示画面例その２
図１０は、図３に示す表示装置５０で表示される懸賞情報表示画面例である。図１０に示すように、表示画面の左側の枠内には放送画面が表示されていると共に、表示画面の右側の枠内には現在放送中の懸賞情報が複数表示されている。
【００７６】
以上に説明したことから、本発明の第１実施形態に係る情報配信システム１は、懸賞情報を含めて放送するため、懸賞がある番組を容易に把握することができる。これにより放送局１０側のメリットとして、懸賞を目的とした新たな視聴者を獲得し、視聴機会を増加させることができる。また、ユーザ側のメリットとして、簡単に懸賞を行っている番組を把握することができるので、プレゼントを提供している番組を容易に探し出して、視聴することができる。また、そのような番組でどのようなプレゼントがなされるのかを簡単に把握することができる。また、リアルタイムの懸賞番組かどうかを把握することにより、その場で視聴するのか録画してから視聴するのかを選択することができる。
【００７７】
１−４．実施例１の変形例
続いて、実施例１の変形例である放送送信装置１１Ａについて説明する。この放送送信装置１１Ａでは、実施例１の放送送信装置１１と異なり、ＥＰＧ情報に懸賞情報を含めて送信するものではなく、ＥＰＧ情報とは別に懸賞情報を生成して送出するものである。すなわち、懸賞情報作成部１９が、放送スケジュールＤＢ１８を参照して懸賞情報を生成して、生成した懸賞情報と共にＭＵＸ部１６Ａで多重化して送出されるものである。以下では放送送信装置１１Ａについて主に説明するが、その構成は実施例１と同一であるため、図示を省略するものとし、ＥＰＧ情報とは別に懸賞情報を受信する放送受信装置側の処理については、後述する第２実施例の変形例における放送受信装置の処理と同一であるため、ここでの説明は省略する。また、この実施例１の変形例における放送受信装置から表示装置５０に表示される画面は、図９および図１０と同一の表示であるため、それらの図示および説明についても省略する。
【００７８】
１−４−２．放送送信装置の処理
図１１は、放送送信装置１１Ａの放送配信処理のフローチャートである。なお、放送スケジュールＤＢ１８に格納されている番組情報には、当該番組内で告知される懸賞情報が関連付けられて記憶されているものとする。
【００７９】
ＳＴＡＲＴ：制御部１２Ａは、電源がＯＮになる、または当該配信モードが選択されると放送配信処理を開始する。制御部１２Ａは、放送配信処理が開始されると、ステップＳ１１１の処理へ移行する。
【００８０】
ステップＳ１１１：制御部１２Ａは、放送スケジュールＤＢ１８を参照して、番組情報に懸賞情報が含まれているか否かを判定する。制御部１２Ａは、番組情報に懸賞情報が含まれている場合（ステップＳ１１１でＹＥＳ）には、ステップＳ１１２の処理へ移行し、番組情報に懸賞情報が含まれていない場合（ステップＳ１１１でＮＯ）には、ステップＳ１１３の処理へ移行する。
【００８１】
ステップＳ１１２：制御部１２Ａは、懸賞情報を生成する。制御部１２Ａは、ステップＳ１１２の処理が完了すると、ステップＳ１１４の処理へ移行する。
【００８２】
ステップＳ１１３：制御部１２Ａは、放送コンテンツ、データ放送、ＥＰＧ情報を多重化する。制御部１２Ａは、ステップＳ１１３の処理が完了すると、ステップＳ１１６の処理へ移行する。
【００８３】
ステップＳ１１４：制御部１２Ａは、送信する期間内の全ての番組について懸賞情報の有無をチェックしたか否かを判定する。制御部１２は、送信する期間内の全ての番組について懸賞の有無をチェックした場合（ステップＳ１１４でＹＥＳ）は、ステップＳ１１５の処理へ移行し、チェックしていない場合（ステップＳ１１４でＮＯ）は、ステップＳ１１１の処理へ戻る。
【００８４】
ステップＳ１１５：制御部１２Ａは、放送コンテンツ、データ放送、ＥＰＧ情報、懸賞情報を多重化する。なお、懸賞情報とＥＰＧ情報は、お互いの情報に含まれる「放送開始日時」、「放送終了日時」、「番組名」などと照合することにより、特定することができる。制御部１２Ａは、ステップＳ１１５の処理が完了すると、ステップＳ１１６の処理へ移行する。
【００８５】
ステップＳ１１６：制御部１２Ａは、ステップＳ１１３またはステップＳ１１５で多重化した放送データを送出して放送配信処理を終了する（ＥＮＤ）。
【００８６】
このような配信処理とすることにより、上述した第１実施例の放送送信装置１１の有する効果に加えて、ＥＰＧ情報の生成段階において番組内での懸賞の有無が確定していない場合や、ＥＰＧ情報作成後に懸賞情報を追加したい場合であっても放送データに多重化して放送受信装置３０Ａへ配信を行うことができる。また、上記以外の理由でＥＰＧ情報に懸賞情報を含めることができない場合であっても、放送データに多重化して放送受信装置３０Ａへ配信することができる。
【実施例２】
【００８７】
２．情報配信システム１Ａ（実施例２）の全体構成
図１２は、本発明の第２実施形態に係る情報配信システム１Ａの全体構成を示す図である。図１２に示す情報配信システム１Ａは、第１実施形態に係る情報配信システム１と異なり、放送局１０と、放送局サーバ７０と、放送受信装置３０ＡとがＩＰ通信網１００を介して通信可能となっている。放送局１０は、放送波により放送番組やデータ放送、ＥＰＧ情報を送出する。放送局サーバ７０は、ＩＰ通信網１００経由でＥＰＧ情報などを送信する。放送局サーバ７０は、放送局１０が有していてもよいし、別個に独立して存在してもよい。放送局サーバ７０は、独自のインターネット独自の番組や静止画、音声、動画といったコンテンツデータを送信するようにしてもよい。また、放送局サーバ７０は、放送局の番組と連動した独自の番組や静止画、音声、動画といったコンテンツデータを送信するようにしてもよい。受信装置３０は、放送局からの放送波を受信し、受信した番組の表示、音声出力やＥＰＧ情報の出力を行う。放送受信装置３０はたとえば、ＴＶ放送やラジオ放送の受信機である。放送受信装置３０には録画、録音機能を有していてもよい。また、放送局サーバ７０からのコンテンツを受信し、表示や音声出力、データの出力等を可能としている。なお、図１２には、１つの放送局サーバ７０および２つの放送受信装置３０Ａを図示したが、情報配信システム１Ａには、複数の放送局サーバ７０および３以上の放送受信装置３０Ａを有してもよい。
【００８８】
２−１．各部の説明
２−１−１．放送受信装置の構成
図１３は、図１２に示す放送受信装置３０Ａの全体構成を示すブロック図である。図１３に示すように、放送受信装置３０Ａは、操作入力部３１、制御部３２、チューナー３３、ＤＥＭＵＸ部３４、デコード部３５、映像音声出力部３６、記録部３７、ネットワーク接続部３８、ネットワーク情報デコード部３９、ユーザ情報記憶部４０を主要な構成要素としている。ここで、制御部３２は、たとえば不図示のハードウェア資源であるＣＰＵなどで構成されており、記録部やＲＯＭなどに格納されている各種プログラムをＲＡＭに読み出して、各種演算処理を協働して実行することで、放送受信装置３０Ａの各部の機能が行う情報処理を実現することができる。なお、第１実施例の放送受信装置３０Ａと同一の機能（操作入力部３１、制御部３２、チューナー３３、ＤＥＭＵＸ部３４、デコード部３５、映像音声出力部３６、記録部３７）については同一の符号を付して説明を省略する。
【００８９】
ネットワーク接続部３８は、ＩＰ通信網１００を介して放送局サーバ７０と通信を行う通信インターフェースである。ネットワーク接続部３８は、放送局サーバ７０のネットワーク接続部８１（図１４参照）からのデータを受信し、ネットワーク情報デコード部３９に当該データを送る。なお、ネットワーク接続部３８は、請求項の出力処理開始判定部の一部、告知情報有無確認部の一部に対応している。
【００９０】
ネットワーク情報デコード部３９は、ネットワーク接続部３８から受信したデータを制御部３２の指示にしたがってデコードし、記録部３７に供給する。なお、記録部３７に供給されたデータは、映像音声出力部３６へ供給され、その後、表示装置５０および／または音声再生装置６０に出力される。ユーザ情報記憶部４０は、情報配信システム１Ａを利用するユーザ情報が格納されている。なお、ネットワーク情報デコード部３９は、請求項の告知情報出力部の一部に対応している。
【００９１】
２−１−２．放送局サーバの構成
図１４は、図１２に示す放送局サーバ７０の全体構成を示すブロック図である。図１４に示すように放送局サーバ７０は、制御部７１、コンテンツストリーム作成部７２、配信要求受付部７３、ユーザ情報管理部７４、コンテンツデータ配信部７５、ＥＰＧ情報作成部７６、サーバ放送用ＥＰＧ情報作成部７７、コンテンツＤＢ７８、放送スケジュールＤＢ７９、懸賞商品情報ＤＢ８０、ネットワーク接続部８１とを主要な構成要素としている。なお、放送局サーバ７０は、請求項の情報配信装置に対応している。
【００９２】
ここで、上述したコンテンツストリーム作成部７２、配信要求受付部７３、ユーザ情報管理部７４、コンテンツデータ配信部７５、ＥＰＧ情報作成部７６、サーバ放送用ＥＰＧ情報作成部７７の各機能が実現する情報処理は、放送局サーバ７０全体を制御する制御部７１がハードウェア資源と協働して実行することにより実現される。具体的には、制御部７１は、不図示のハードウェア資源であるＣＰＵなどから構成され、ＣＰＵが不図示のＲＯＭに格納されている各種プログラムを不図示のＲＡＭに読み出して協働して実行することにより実現している。また、上述したコンテンツＤＢ７８、放送スケジュールＤＢ７９、懸賞商品情報ＤＢ８０は不図示の記憶部に記憶されており、記憶部は、たとえばＨＤＤやフラッシュメモリなどから構成される。なお、第１実施例の放送送信装置３０と同一の機能（コンテンツストリーム作成部７２）については、説明を省略する。
【００９３】
配信要求受付部７３は、放送受信装置３０Ａからの懸賞情報の配信要求を受け付ける機能を有する。具体的には、放送受信装置３０Ａから要求のあったコンテンツやＥＰＧ情報、サーバ放送用ＥＰＧ情報を提供する。
【００９４】
ユーザ情報管理部７４は、放送局サーバ７０に接続してきたユーザが登録されていない場合に所定の入力事項を求めて、情報配信システム１Ａのユーザとして新たに登録することができる機能を有している。具体的には、ユーザ情報管理部７４は、接続してきた放送受信装置３０Ａのディスプレイ、または放送受信装置３０Ａに接続されている表示装置５０にユーザ登録画面を表示し、所定の事項を入力させて、入力された事項を不図示の記憶部に記憶する処理を行う。
【００９５】
また、ユーザ情報管理部７４は、放送局サーバ７０に接続してきたユーザが、情報配信システム１Ａを正当に利用できるユーザであるか否かを判定する機能を有している。具体的には、ユーザ情報管理部７４は、接続してきた放送受信装置３０Ａのディスプレイ、または放送受信装置３０Ａに接続されている表示装置５０にユーザ認証画面を表示させ、当該認証画面に入力された事項（たとえばユーザが入力したユーザＩＤおよびパスワードなど）と、不図示の記憶部に予め記憶されている事項（当該ユーザＩＤと当該ユーザが予め設定したパスワードなど）とを照合することでユーザ認証処理を行う。なお、ユーザ情報管理部７４は、ユーザ認証サーバとしてのＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバを、放送局サーバ７０とは別に構築して、当該ＬＤＡＰサーバにおいて上述したユーザ情報管理部７４の各処理を実現するようにしてもよい。また、ユーザ情報管理部７４は、ユーザの情報を管理する。具体的にはユーザＩＤとユーザの視聴エリアが登録されており、要求のあったユーザに視聴エリアに応じた適切な放送地域のＥＰＧ情報を提供することができる。
【００９６】
コンテンツデータ配信部７５は、放送送信装置１１が放送波で送出する放送データとは異なり、当該放送データに関連するコンテンツ、またはそれ以外のコンテンツをＩＰ通信網１００経由で配信する機能を有する。
【００９７】
ＥＰＧ情報作成部７６は、放送スケジュールＤＢ７９と懸賞商品情報ＤＢ８０に基づき、ＥＰＧ情報を作成する。放送スケジュールＤＢ７９には、放送波（テレビ放送、ラジオ放送等）の番組情報が記憶され、ＥＰＧ情報の作成に用いられる。また、放送スケジュールＤＢ７９には、基本的には第１実施形態に係る放送送信装置１１の放送スケジュールＤＢ１８と同等のデータが含まれているが、より詳細な情報が記憶されているものである。また、懸賞商品情報ＤＢ８０には、予め懸賞情報が記憶されている。懸賞情報は、図１５、図１７、図１８に示すデータに示されるように懸賞のある番組の放送種別や放送局、番組名、開始/終了時刻、リアルタイムに応募する番組なのか、応募締切情報、申込情報等が記録されている。これらはＥＰＧ情報の作成に用いられ、ＥＰＧ情報に懸賞情報を含んで放送受信装置３０Ａからの要求に応じて送信される。
【００９８】
サーバ放送用ＥＰＧ情報作成部７７は、後述するコンテンツＤＢ７８のコンテンツが放送番組と関係するコンテンツである場合に、放送番組と関係するコンテンツのＥＰＧデータを作成するものである。このコンテンツに関連した懸賞情報がある場合には、その懸賞情報も含めてサーバ放送用ＥＰＧデータを作成する。
【００９９】
コンテンツＤＢ７８には、種々のコンテンツが記憶されている。コンテンツＤＢ７８に記憶されているコンテンツは、番組連動型のものや放送終了後にもアクセスできるコンテンツ、また、エリア限定のものではないコンテンツなどが記憶されている。具体的なコンテンツの例としては、静止画、動画、音声等である。なお、これらの情報は、例えばＸＭＬ(ｅＸｔｅｎｓｉｂｌｅ  Ｍａｒｋｕｐ  Ｌａｎｇｕａｇｅ)やＢＭＬ(Ｂｒｏａｄｃａｓｔ  Ｍａｒｋｕｐ  Ｌａｎｇｕａｇｅ)等のマークアップ言語で記述されており、このようなマークアップ言語を用いることで、ＩＰ通信網１００との親和性を良好なものとすることができる。
【０１００】
２−２．各装置の処理
２−２−１．放送局サーバの懸賞情報配信処理
続いて、放送局サーバ７０の行う懸賞情報配信処理について説明する。放送局サーバ７０は、ＥＰＧ情報に懸賞情報を付加して放送受信装置３０Ａに対して送信処理を行う。
【０１０１】
図１５は、図１２に示す放送局サーバ７０から送信される懸賞情報を含んだＥＰＧ情報のデータ列の一例を示す図である。図１５に示すように、ＥＰＧ情報のデータ列には、「放送種別」、「放送局名」、「放送開始日時」、「放送終了日時」、「番組名」、「表示形式」、「音声形式」「ジャンル」、「出演者」、「監督」、「製作会社」、「番組内容」、「プレゼント」、「リアルタイムか否か」、「応募方法」、「懸賞申し込み開始日時」、「懸賞申し込み終了日時」、「プレゼントジャンル」、「プレゼント商品名」などのフィールドから構成されている。なお、図１５に示すＥＰＧ情報のうち、「プレゼント」、「リアルタイムか否か」、「応募方法」、「懸賞申し込み開始日時」、「懸賞申し込み終了日時」、「プレゼントジャンル」、「プレゼント商品名」のフィールドが懸賞情報として挿入されている。
【０１０２】
図１６は、図１２に示す放送局サーバ７０のＥＰＧ情報送信処理のフローチャートである。このＥＰＧ情報送信処理は、懸賞情報の有無を含めたＥＰＧ情報を配信するものである。なお、図５の処理と同一の処理（図１６のＳＴＡＲＴ、ステップＳ１０１、Ｓ１０２、Ｓ１０３、Ｓ１０４の処理）については、同一のステップ番号を付し、説明を省略する。
【０１０３】
ステップＳ１０７：制御部７１は、ステップＳ１０４で送信する期間内の全ての番組に関して懸賞情報の有無チェックが完了すると、送信する期間内の全ての番組を含んだＥＰＧ情報を生成する。放送局サーバ７０の制御部７１は、ステップＳ１０７の処理が完了すると、ステップＳ１０８の処理へ移行する。
【０１０４】
ステップＳ１０８：制御部７１は、ＥＰＧ情報の送信要求判定を行う。放送局サーバ７０の制御部７１は、ＥＰＧ情報の送信要求がある場合（ステップＳ１０８でＹＥＳ）にはステップＳ１０９へ、ない場合（ステップＳ１０８でＮＯ）には、ステップＳ１０８の判定処理を繰り返す。
【０１０５】
ステップＳ１０９：制御部７１は、ＥＰＧ情報を送信してＥＰＧ情報送信処理を終了する（ＥＮＤ）。
【０１０６】
このような送信処理とすることで、懸賞情報の有無がＥＰＧ情報に含まれて配信されるため、視聴者が放送番組内で告知される情報を容易に知ることができる。また、放送受信装置３０Ａからの送信要求に基づいて、ＩＰ通信網１００を利用して懸賞情報の有無を有するＥＰＧ情報を放送局サーバ７０から配信させるため、第１実施形態における放送送信装置１１の放送波による配信処理とは異なり、視聴者の配信要求に基づいて懸賞情報の有無を有するＥＰＧ情報を配信することが可能となる。つまり、ユーザの要求を反映することができる。
【０１０７】
２−２−２．放送受信装置の懸賞情報表示処理
放送受信装置３０Ａの懸賞情報表示処理は、実施例１の放送受信装置３０の懸賞情報表示処理と同一のため、図示および説明を省略する。
【０１０８】
このような表示処理とすることで、放送中の番組についての懸賞有無や、詳細な懸賞情報を容易に知ることができる。また、これらの情報が放送番組の視聴するための動機付けとなり、当該放送番組の視聴率アップに寄与することができる。
【０１０９】
以上に説明したことから、本発明の第２実施形態に係る情報配信システム１Ａは、懸賞情報を含めて放送するため、懸賞がある番組を容易に把握することができる。これにより放送局１０側のメリットとして、懸賞を目的とした新たな視聴者を獲得し、視聴機会を増加させることができる。また、ユーザ側のメリットとして、ＥＰＧ情報から簡単に懸賞を行っている番組を把握することができるので、プレゼントを提供している番組を容易に探し出して、視聴することができる。また、そのような番組でどのようなプレゼントがなされるのかを簡単に把握することができる。また、リアルタイムの懸賞番組かどうかを把握することにより、その場で視聴するのか録画してから視聴するのかを選択することができる。
【０１１０】
２−３．実施例２の変形例
続いて、上述した実施例２の変形例である放送配信システム１Ｂについて説明する。以下に説明する放送局サーバ７０の変形例である放送局サーバ７０Ｂでは、実施例２の放送局サーバ７０と異なり、ＥＰＧ情報に懸賞情報を含めて送信するものではなく、ＥＰＧ情報とは別に懸賞情報を生成して、送信するものである。また、以下に説明する放送受信装置３０Ａの変形例としての放送受信装置３０Ｂでは、実施例２の放送受信装置３０Ａと異なり、ＥＰＧ情報に懸賞情報が含まれた状態で受信するものではなく、ＥＰＧ情報と懸賞情報が別々に作成された状態で受信するものである。
【０１１１】
２−３−１．放送局サーバの構成
放送局サーバ７０Ｂは、実施例２の放送局サーバ７０と異なり、ＥＰＧ情報に懸賞情報を含めて送信するものではなく、ＥＰＧ情報とは別に懸賞情報を生成して、送出するものである。すなわち、図１５に示す放送局サーバ７０の構成に加えて懸賞情報作成部８２を有している。この懸賞情報作成部８２は、放送スケジュールＤＢ７９を参照して懸賞情報を生成する。そして、生成した懸賞情報は、ＭＵＸ部１６で多重化されて放送データとして送出される。なお、懸賞情報作成部８２以外は、図１５に示す放送局サーバ７０と同一であるため、図示および説明を省略する。
【０１１２】
２−３−２．放送受信装置の構成
放送受信装置３０Ｂは、実施例２の放送受信装置３０Ａと異なり、ＥＰＧ情報に懸賞情報を含めて送信するものではなく、ＥＰＧ情報とは別に懸賞情報が生成すると共に多重化された放送データを受信するものである。しかしながら、この変形例における放送受信装置３０Ｂは、図１４に示す放送受信装置３０Ａと同一の構成であるため、図示および説明を省略する。なお、放送受信装置３０Ｂと接続された表示装置５０に表示される画面例は、図９および図１０において説明したものと同一であるため、画面表示例の説明は省略する。なお、放送受信装置３０Ｂの懸賞情報表示処理については異なるため後述する。
【０１１３】
２−３−３．放送局サーバの配信処理
続いて、放送局サーバ７０Ｂの配信処理について説明する。放送局サーバ７０Ｂは、懸賞情報と共に放送番組に連動するコンテンツを付加することができる。図１７は、本発明の第２実施形態の変形例である放送局サーバ７０Ｂから配信されるデータ列の一例を示す図である。図１７に示すデータ列は、放送波で送出されるコンテンツに関する情報（放送種別〜番組名までの各フィールド）と、当該コンテンツに連動するコンテンツ（連動コンテンツ１、連動コンテンツ２の各フィールド）と、当該コンテンツに関する懸賞情報（リアルタイムか否か〜プレゼント商品名までの各フィールド）、のデータ列から構成されている。このようなデータ列として送信することで放送番組の懸賞情報と連動したコンテンツの配信が可能となる。
【０１１４】
また、図１８は、本発明の第２実施形態である放送局サーバ７０Ｂから配信されるデータ列の一例を示す図である。図１８に示すデータ列は、放送波で送出されるコンテンツに関する（放送種別〜番組名までの各フィールド）と、当該コンテンツに連動するコンテンツ（連動コンテンツ１、連動コンテンツ２の各フィールド）と、当該連動コンテンツに関する懸賞情報（リアルタイムか否か〜プレゼント商品名までの各フィールド）のデータ列から構成されている。これにより番組と連動したコンテンツを配信可能とすると共に、当該連動コンテンツの懸賞情報の配信が可能となる。
【０１１５】
図１９は、図１６に示すＥＰＧ情報送信処理の変形例を示す図である。この変形例では、懸賞情報のみを作成して送信するものである。
【０１１６】
ＳＴＡＲＴ：制御部７１は、電源がＯＮになる、または当該送信モードが選択されると懸賞情報送信処理を開始する。制御部７１は、懸賞情報送信処理を開始すると、ステップＳ１２１の処理へ移行する。
【０１１７】
ステップＳ１２１：制御部７１は、懸賞情報がある番組か否かを判定する。制御部７１は、懸賞情報がある番組の場合（ステップＳ１２１でＹＥＳ）には、ステップＳ１２２の処理へ移行し、懸賞情報がない番組の場合（ステップＳ１２１でＮＯ）には、ステップＳ１２３の処理へ移行する。
【０１１８】
ステップＳ１２２：制御部７１は、懸賞情報を生成する。制御部７１は、ステップＳ１２２の処理が完了すると、ステップＳ１２３の処理へ移行する。
【０１１９】
ステップＳ１２３：制御部７１は、送信する期間内の全ての番組について懸賞の有無をチェックする。制御部７１は、送信する期間内の全ての番組について懸賞の有無をチェックした場合（ステップＳ１２３でＹＥＳ）は、ステップＳ１２４の処理へ移行し、チェックしていない場合（ステップＳ１２３でＮＯ）は、ステップＳ１２１の処理へ戻る。
【０１２０】
ステップＳ１２４：制御部７１は、送信する期間内に含まれるすべての懸賞情報を作成する。制御部７１は、ステップＳ１２４の処理が完了すると、ステップＳ１２５の処理へ移行する。
【０１２１】
ステップＳ１２５：制御部７１は、懸賞情報の送信要求の有無判定を行う。制御部７１は、懸賞情報の送信要求がある場合（ステップＳ１２５でＹＥＳ）には、ステップＳ１２６の処理へ移行し、懸賞情報の送信要求がない場合（ステップＳ１２５でＮＯ）には、懸賞情報送信処理を終了する（ＥＮＤ）。
【０１２２】
ステップＳ１２６：制御部７１は、送信する期間内に含まれるすべての懸賞情報を送信して、懸賞情報送信処理を終了する（ＥＮＤ）。
【０１２３】
このような送信処理とすることで、懸賞情報のみをＥＰＧ情報とは独立して送信することができる。
【０１２４】
２−３−４．放送受信装置の懸賞情報表示処理
続いて、放送受信装置３０Ｂの懸賞情報表示処理の変形例について説明する。実施例１の放送受信装置３０の懸賞情報表示処理と同一のため省略する。ただし、懸賞情報と放送番組のＥＰＧ情報が別々に作成されるため、放送受信装置３０側で、懸賞情報とＥＰＧ情報を照合する処理が必要である。なお、照合する際には、たとえば、放送開始日時、放送終了日時、放送局名、放送番組名などの一致をもって照合することができる。
【０１２５】
このような表示処理とすることで、放送局サーバ７０から懸賞情報のみが送信される場合であっても懸賞情報を表示させることができる。
【０１２６】
３．他の実施形態
以上、情報配信システム１，１Ａを本発明の実施形態例として説明したが、本発明は、これに限定されるものではなく、発明の要旨を逸脱しない範囲において種々の変形や変更が可能である。
【０１２７】
たとえば、リアルタイムに応募しなければならない番組が録画予約された場合には、視聴予約に切り替えるか尋ねるポップアップ画面を表示するようにしてもよい。
【０１２８】
また、放送受信装置３０，３０Ａ，３０Ｂは、放送局サーバ７０からのＥＰＧ情報内にプレゼントがある番組がある場合には、放送波からのＥＰＧ情報にＯＳＤ（Ｏｎ  Ｓｃｒｅｅｎ  Ｄｉｓｐｌａｙ）表示を行うようにしてもよい。
【０１２９】
また、現在から１日で放送される懸賞つきの番組を懸賞名と共に表示するようにしてもよい。その場合の懸賞内容は、放送局サーバ７０側で隠していてもよいし、わかるようにしてもよい。
【０１３０】
また、音声で懸賞情報の有無を通知するようにしてもよい。あるいは、放送波の番組放送中に懸賞情報の有無を通知するようにしてもよい。具体的には、画面内にテロップとして懸賞情報を流してもよい。
【０１３１】
また、放送受信装置３０，３０Ａ，３０Ｂは、ＩＰ通信網１００を通じ、放送局サーバ７０と双方向通信で懸賞の応募、抽選結果の通知等を行うようにしてもよい。
【０１３２】
また、放送局サーバ７０でＥＰＧ情報自体をコンテンツデータとして、送信せずにｗｅｂ上で閲覧できるようにしてもよい。
【０１３３】
また、上述した各実施形態に係る情報配信システム１Ａで説明した各部の機能すべてまたは一部をプログラムによって構成し、このプログラムを情報処理装置（コンピュータ）にインストールすることで実現してもよい。具体的には、コンピュータとして機能させるためにプログラムとすることができる。なお、このプログラムを実行可能な状態で記録した媒体からコンピュータに直接インストールすることも可能であるが、ネットワーク経由で遠隔にあるコンピュータにインストールしてもよい。
【符号の説明】
【０１３４】
１，１Ａ  情報配信システム、１０  放送局、１１  放送送信装置（放送配信装置）、１２  制御部、１３  コンテンツストリーム作成部、１４  ＥＰＧ情報作成部、１５  データ放送作成部、１６  ＭＵＸ部、１７  放送用コンテンツ１７ＤＢ、１７  放送用コンテンツ１８  放送スケジュールＤＢ、１９  データ放送用コンテンツＤＢ、３０，３０Ａ，３０Ｂ  放送受信装置（情報受信装置）、３１  操作入力部、３２  制御部（出力処理開始判定部の一部、告知情報有無確認部の一部、告知情報出力部の一部）、３３  チューナー、３４  ＤＥＭＵＸ部、３５  デコード部、３６  映像音声出力部（告知情報出力部の一部）、３７  記録部、３８  ネットワーク接続部、３９  ネットワーク情報デコード部、４０  ユーザ情報記憶部、５０  表示装置、６０  音声再生装置、７０  放送局サーバ（放送配信装置）、７１  制御部、７２  コンテンツストリーム作成部、７３  配信要求受付部、７４  ユーザ情報管理部、７５  コンテンツデータ配信部、７６  ＥＰＧ情報作成部、７７  サーバ放送用ＥＰＧ情報作成部、７８  コンテンツＤＢ、７９  放送スケジュールＤＢ、８０  懸賞商品情報ＤＢ、８１  ネットワーク接続部 
【図１】
2010206303.tif 000003
【図２】
2010206303.tif 000004
【図３】
2010206303.tif 000005
【図４】
2010206303.tif 000006
【図５】
2010206303.tif 000007
【図６】
2010206303.tif 000008
【図７】
2010206303.tif 000009
【図８】
2010206303.tif 000010
【図９】
2010206303.tif 000011
【図１０】
2010206303.tif 000012
【図１１】
2010206303.tif 000013
【図１２】
2010206303.tif 000014
【図１３】
2010206303.tif 000015
【図１４】
2010206303.tif 000016
【図１５】
2010206303.tif 000017
【図１６】
2010206303.tif 000018
【図１７】
2010206303.tif 000019
【図１８】
2010206303.tif 000020
【図１９】
2010206303.tif 000021